(57)【要約】【課題】簡単な構造で、一サイクルで計量から圧縮用不活性ガス（空気や窒素ガス）と洗浄液等の充填液とを噴射ノズル付缶に充填ができ、不活性ガス圧と機械的操作で安全に、正確に噴射ノズル付缶内に使い残しがあっても所定量が自動的に充填できること。【解決手段】枠体に滑車を取り付け、この滑車にワイヤーを架けウェイトと匡体とを垂下し、この匡体内に噴射ノズル付缶押さえが設けられ、さらに匡体が枠体の上記ウェイトで上下動すると共に、上記缶内に不活性ガス圧で作動されるピストンにより充填液が圧送され、その荷重によりウェイトが作用して匡体が枠体下方に移動して所定量の位置にて停止させ、この停止すると同時にウェイトにより接触するスイッチで噴射ノズル付缶内に作動用圧縮不活性ガスを充填し、この缶が所定圧に達したら停止させた充填装置である。【選択図】図１
0003123075.tif 000002
【実用新案登録請求の範囲】
【請求項１】
粋体に滑車を取り付け、この滑車にワイヤーを架け、このワイヤーの両端にウェイトと匡体とを垂下し、この匡体内に噴射ノズル付缶押さえが設けられ、さらに匡体が枠体上下にスライドすると共に、上記匡体内にクランプされた噴射ノズル付缶内に不活性ガス圧で作動されるピストンにより充填液が圧送され、噴射ノズル付缶内に所定量の充填液が送り込まれると、その荷重により匡体が枠体下方にスライドし、それに追従動してウェイトが上方へ動き所定位置で作動する圧縮した不活性ガスによる切替えスイッチにより不活性ガスが噴射ノズル付缶に充填させたことを特徴とする充填装置。
【請求項２】
上記匡体内に噴射ノズル付缶がセットされると接触する第１の圧縮した不活性ガスによる切替えスィッチと、この匡体の所望位置に設けな第２の圧縮した不活性ガスによる切替えスィッチとを設け、この両スィッチの作動で充填液が噴射ノズル付缶に充填されるようにしたことを特徴とする請求項１に記載の充填装置。
【考案の詳細な説明】
【技術分野】
【０００１】  本考案は、安全で環境に優しい空気や窒素ガス等の不燃性気体の圧縮ガスと、洗浄液や塗装液、錆止め液、油類等の液体、ローション類やゲル類やエマルジョン類やベースト類等の流動性材（液体）とを電気を用いず作動を圧縮した不活性ガスや機械的操作等による切替えスイッチにより安全に、確実に噴射ノズル付缶に充填する装置に関する。
【背景技術】
【０００２】  近年、洗浄液や塗装液、錆止め液、油類等の液体、あるいは、ローション類やゲル類やエマルジョン類やベースト類等の流動性材を液化ガスや加圧ガスにより噴霧や吐出させるためにエアゾール類を利用していたが、地球の温暖化や環境への配慮から空気や窒素の不活性ガスを圧縮した不活性ガス（以下、空気や窒素の不活性ガスを本考案では単に「不活性ガス」という）で作動させ、かつ切替えスィツチを電気等で操作している。【０００３】  しかし、従来の種々提案されているこの種の充填装置は、構造が複雑であり、かつ定量の充填しかできないので、使い残しの容器例えば合成樹脂製や金属製の噴射ノズル付缶（以下、種々な材質や形状の噴射ノズル付容器を本考案では単に「缶」という）に充填せんとするものはなく、かつ誰にても簡単に、確実に、それでいて装置が安全でコンパクトであり、一サイクルで洗浄液を缶に充填することができ、かつ缶内に使い残しがあっても所定量が自動的に充填できると共に、缶の装填時に接触する第１の圧縮した不活性ガスによる切替えスィツチと、さらに作動させる第２の圧縮した不活性ガスによる切替えスィツチとで電気を用いず不活性ガスで安全に、確実に洗浄液を缶に充填し、所定量充填されると、その重量によるウエイト移動で圧縮用不活性ガスの充填が始まるようにした安全で確実に洗浄液と圧縮用不活性ガスとを充填することである。
文献１のように、液体定量充填装置であって、充填ノズルに接続された出口を有し、ピストンを内臓している定量シリンダと、定量シリンダの入口に備えられている流入側逆弁と、定量シリンダの出口または充填ノズル内に備えられている流出側逆弁と、コンベヤが１ピッチ駆動される毎にピストンを１サイクルストロークさせる駆動手段で缶に充填するものであって、構造が複雑であり、かつ定量の充填しかできない。また、文献２のように、バルブ付ノズルを有する携帯タイプの小型容器の定格充填液剤量に見合う相当量の液剤を貯留するに足る小容量の小型シリンダに前記定格充填液剤量に計量した液剤を貯留した後、加圧した不活性ガスを小型シリンダに供給してシリンダ内圧を前記小型容器の定格内圧力より高めに保持し、この不活性ガスの加圧により、小型シリンダ内の底層の液剤ををバルブ付ノズルに接続した送液管に順次移送させて、定格充填液剤量の液剤を前記小型容器に加圧充填するものであって、小型シリンダに前記定格充填液剤量に計量した液剤を貯留したり、加圧した不活性ガスを小型シリンダに供給してシリンダ内圧を前記小型容器の定格内圧力より高めに保持したりする必要があり、その工程は複雑である。さらに、文献３のように、充填缶を着脱可能に保持し、充填缶の噴射ノズルから洗浄液と圧縮空気を充填する充填部と、洗浄液を蓄えている洗浄液供給缶から洗浄液を吸引し、吸引した洗浄液を前記充填部から充填缶に充填する洗浄液圧入充填部と、圧縮空気源から供給された圧縮空気を充填部から充填缶に充填する圧縮空気供給配管系統とで構成されている。しかし、このものは単に洗浄液供給缶から洗浄液を吸引し、充填缶の噴射ノズルから洗浄液と圧縮空気を充填するだけで、所定重量により洗浄液供給を止めるものではない。さらには、文献４のように、所定量の液体媒体及び加圧ガスを一旦受容する投与容器を有すると共に、この投与容器から、散布容器の単一バルブに接続可能なバルブとして構成された充填接続部へ通じる充填ラインを設け、前記投与容器に接続されな加圧ガス装置により、投与容器内の液体媒体と加圧ガスを同時に充填接続部に接続された散布容器内に押し出して、散布容器内に液体媒体を充填すると共にガスクッションを形成せしめるものである。しかし、このものも余分な所定量の液体媒体及び加圧ガスを一旦受容する投与容器を有するもので、それだけスペースや充填工程が複雑である。
【特許文献１】特開平９−１４２４０３号公報
【特許文献２】特開２００４−２６３７３６号公報
【特許文献３】特開２００４−３５００２号公報
【特許文献４】特開２００５−５９８５５号公報
【考案の開示】
【考案が解決しようとする課題】
【０００４】  解決しようとする問題点は、第１に、簡単な構造で、一サイクルで計量から洗浄液等の充填液を缶に充填することができ、かつ全ての作動を不活性ガス圧と機械的操作にすること安全であり、さらに缶内に使い残しがあっても所定量が充填できて、缶に充填液を充填されるにその荷重により匡体が枠体下方にスライドして所定量で停止させ、この量に応じてウェイトを上下動させることで、缶内に使い残しがあっても所定量が正確に、かつ確実に充填させ、さらに、所定量が充填されるとその荷重により匡体が枠体下方にスライドし、それに追従してウェイトが上方へ動き所定位置で作動する圧縮した不活性ガスによる切替えスイッチにより不活性ガスが缶に充填させること。第２に、第１の課題に加えて、筐体内に缶を装填すると接触する第１の圧縮した不活性ガスにより切り替えるスイッチと、筐体の所望位置に設けた第２の圧縮した不活性ガスによる切替えスイッチとを設け、この両スイッチの作動で洗浄液等の充填液を缶に充填することができ、電気を用いず不活性ガスによる切替えスイッチで安全に、確実に液漏れのないこと。
【課題を解決するための手段】
【０００５】  本考案は、請求項１に記載の考案は、枠体に滑車を取り付け、この滑車にワイヤーを架け、このワイヤーの両端にウェイトと匡体とを垂下し、この匡体内に缶押さえが設けられ、さらに匡体が枠体上下にスライドすると共に、上記匡体内にクランプされた缶内に不活性ガス圧で作動されるピストンにより充填液が圧送され、缶内に所定量の充填液が送り込まれると、その荷重により匡体が枠体下方にスライドし、それに追従してウェイトが上方へ動き所定位置で作動する圧縮した不活性ガスによる切替えスイッチにより不活性ガスが缶に充填させたことを特徴とする充填装置である。また、請求項２に記載の考案は、筐体内に缶を装填すると接触する第１の圧縮した不活性ガスによる切替えスイッチと、筐体の所望位置に設けた第２の圧縮した不活性ガスによる切替えスイッチとを設け、この両スイッチの作動で洗浄液等の充填液が缶に充填させなことを特徴とする請求項１に記載の充填装置である。
【考案の効果】
【０００６】  本考案の請求項１に記載の考案は、簡単な構造で、一サイクルで計量から洗浄液等の充填液を缶に充填することができ、かつ不活性ガス圧で充填液を缶に充填すると共に洗浄液等の充填液の放出も不活性ガス圧なので全ての作動が電気を使用しないので安全であり、さらに缶内に使い残しがあっても所定量が充填でき、さらに、所定量が充填されるとその荷重により匡体が枠体下方にスライドし、それに追従してウェイトが上方へ動き所定位置で作動する機械的操作として圧縮した不活性ガスによる切替えスイッチにより不活性ガスが缶に充填させることで、スプリングでなくウェイトによるので気候等による温度差や使用頻度によるスプリングの伸び切り等の誤差やバラツキがなく、かつ電気を使用せず、圧縮しな不活性ガスによる切替えスイッチの使用により、電気や静電気等のスパーク防止ができて、茫漠等のない安全に、確実に充填液と作動用の不活性ガスを缶に充填ができる。第２に、第１の課題に加えて、筐体内に缶を装填すると接触する第１の圧縮した不活性ガスによる切替えスイッチと、筐体の所望位置に設けた第２の圧縮した不活性ガスによる切替えスイッチとを設け、この両スイッチの作動で洗浄液等の充填液を缶に安全に、確実に充填することができ、洗浄液等の液漏れがない。
【考案を実施するための最良の形態】
【０００７】  本考案の請求項１に記載の考案は、枠体に滑車を取り付け、この滑車にワイヤーを架け、このワイヤーの両端にウェイトと匡体とを垂下し、この匡体内に缶押さえが設けられ、さらに匡体が枠体上下にスライドすると共に、上記匡体内にクランプされた缶内に不活性ガス圧で作動されるピストンにより充填液が圧送され、缶内に所定量の充填液が送り込まれると、その荷重により匡体が枠体下方にスライドし、それに追従してウェイトが上方へ動き所定位置で作動する機械的操作として圧縮した不活性ガスによる切替えスイッチにより不活性ガスが缶に充填させたことを特徴とする充填装置である。また、請求項２に記載の考案は、筐体内に缶を装填すると接触する第１の圧縮しな不活性ガスによる切替えスイッチと、筐体の所望位置に設けた第２の圧縮した不活性ガスによる切替えスイッチとを設け、この両スイッチの作動で洗浄液等の充填液が缶に充填させなことを特徴とする請求項１に記載の充填装置である。
【実施例】
【０００８】  本考案の充填装置の詳細な実施例を図１に示している。図１に示すように、基台１上に不活性ガス圧により作動されるシリンダー２と、このシリンダーのピストン３により液体等を圧送するする移送装置Ａが載置され、この移送装置Ａに隣接し、下端が基台１上に取り付けられている枠体４が付設されてある。この枠体４の上方の所望箇所に滑車５を取り付けてある。そして、この滑車５には、ワイヤー１０が架けられ、ワイヤー１０の一方には、後述のスライドパックとコの字形の匡体と缶の空の重さ等の合計の重さと釣り合う重さＷを有するウェイト６が取り付けられ、ワイヤー１０の他方にはスライドパック８が取り付けてある。さらに、このスライドパック８の一端面がコの字形の匡体７の後面に固定される、この断面がコの字形の匡体７は枠体４の前方に略同じ大きさで対峙した状態で、かつ、枠体４に上下にスライドできるよううにする、即ち、スライドパック８の他端面は上下動にスライドできるように、前記枠体４の前面に設けなスライドレール９とスライドさせるように係合させている。このように垂下され上下動する匡体７の上端に取り付けられた天板１１に付設された第１の圧縮した不活性ガスによる切替え充填スイッチ２４ｂが設けてある。また、この天板１１に付設された缶押さえクランプシリンダー１２内にピストン１２ａが収納され、ピストン１２ａのロッド１２ｂが天板１１より下方へ突出し不活性ガス圧で上下動するように取り付けられる。そして、このロッド１２ｂの下端に下向きコの字状の缶押さえ１３が付設され、ピストン１２ａが不活性ガス圧の作動により缶Ｂが常時押し下げの方向に力がかかり、その力を受けた下向きコの字状の缶押さえ１３で缶の蓋上部１４がクランプされる。この場合下向きコの字状で缶の噴射レバー３３が不作動状態に堅持されている。このようピストン１２ａが作動し、ロッド１２ｂの下降で缶Ｂの蓋上部１４がクランプされると同時に缶の胴を上記匡体７の所望上下位置に付設されていると共に、缶の蓋上部１４部位と缶の胴部位とに係合するストッパー１５ａ、１５ｂにより定位置に収め、さらに缶の底部を上記匡体７の下端の底板１６に付設された受部１７に載置される。そして、この缶の胴部位とに係合するストッパー１５ｂの上部に第２の圧縮した不活性ガスによる切替えスイッチ２４ｃが設けてあり、さらに匡体７の所望箇所に圧縮した不活性ガスによる切替えるクランプスイッチ２４ａが設けてある。そして、充填液を注入させる充填専用の逆止弁付バルブ１８が缶の底面の所望位置に、好ましくは缶の底面凹部略中央に充填専用の逆止弁３１付バルブ１８が設けられている場合は図示したように缶Ｂを蓋部が上方になるようにセットする。さらには、図示しないが缶の蓋部に設けられた液化ガスや圧縮ガスにより噴霧や吐出させるための噴出バルブが充填可能の場合は、缶を逆さにして装填する。この受部１７の略中央上部に缶の充填専用の逆止弁３１付バルブ１８が嵌合するように凹部が形成され、かつ逆止弁３１付バルブ１８に接合し連通する注入口１８ａが上記受部１７に垂直に穿設されてある。さらに、この垂直な注入口１８ａの側面の一方にシリンダー２の排出口２１或いはタンク３１とに連通する充填液等の連通���１９が穿設され、受部１７の側面の他方には不活性ガス注入口２０が穿設されている。この充填液等の注入口１８ａと上記移送装置Ａに設けられた液等の排出口２１よりピストン３により充填液等の注入口１８ａへと圧送される。この圧送の開始は、上記ストッパー１５ｂの上に設けた第２の不活性ガスによる切替えスイッチ２４ｃと匡体７の天板１１に付設された第１の圧縮した不活性ガスによる切替え充填スイッチ２４ｂとの両スイッチがＯＮされて始めて充填液が充填される。しかして、缶Ｂ内に所定量の充填液が充填されると匡体７（缶押さえ、受部やシリンダー１２等も含む）とスライドバック８と缶Ｂと充填液との重みがウェイト６の重さＷより大きくなるので、スライドパック８とスライドレール９との係合で上下動のスライダーの動きで、ウェイト６の重さＷのバランスが釣り合わせるようにウェイト６が上昇し、匡体７が下降し、匡体７が匡体７の下端部が基台１の上方に取り付けてあるストッパー２２に当たりると停止する。するとストッパー２２と連動して、基台１の下方に取り付けてあるシリンダー３４を作動させてピストン３への作動用圧縮不活性ガスが止まる。それと同時に、ウェイト６が上昇してシリンダー２に付設されているスイッチ２３とが接合し、かつ、青色ランプ３６の浮子がスイッチ２３に設けた不活性ガス切替えにより作動する不活性ガス圧でガラス管３６ａ等の表示部内へ上昇すると共に、作動用圧縮不活性ガスが不活牲ガス注入口２０より入り初め、所定量の充填液が充填され缶Ｂ内の作動用圧縮不活性ガスが８ｋｇ／ｃｍ２Ｇになるまで加圧されると自動的に或いは手動的にスイッチ２４ｂが切れて不活性ガス注入口２０からの作動用圧縮不活性ガスの流入が停止される。なお、上述の充填液等の連通口１９と作動用圧縮不活性ガスの不活性ガス注入口２０とは図示していないが、受部１７に別々に穿設され注入口１８ａにて合流させてもよい。なお、符号２８乃至３１は逆止弁であり、符号３２は充填液のタンクである、また、上記青色ランプ３６の浮子がガラス管３６ａ等の表示部内へ不活性ガス切替えで上昇することによる不活性ガス注入の開始したことの確認を、ランプ３６の浮子は青色でなく赤色等でもよく、かつ青色ランプ３６の浮子やガラス管３６ａに代えて反射板や音発生器等の確認手段でもよい。さらには、不活性ガス圧で作動されるピストン３は、シリンダー２内上方部位に常時ウェイトにより保持され、充填液を充填する時にピストン上方であってシリンダー内上方部位に不活性ガスを装填して、シリンダー２外上方部とピストン３のロッド３ａに挿入されてシリンダーが上記シリンダー内上方部位に不活性ガスが装填されてピストンが下方に移動すると共にスプリング２７ａは圧縮され、缶Ｂに充填液が充填されて、その荷重により匡体７が枠体４下方にスライドして所定量の位置にて停止させると同時に、シリンダー内上方部位の不活性ガスが放出されてスプリング２７ａの圧縮が伸びた状態へ戻る時、即ちピストン３がシリンダー２内上方部位に復帰する時にタンク３２より充填液をシリンダー２内に充填させるようになっている。即ち、缶に充填液を充填されるにその荷重により匡体が枠体下方にスライドして所定量で停止させ、この量に応じて���プリング２７ａを圧縮されることで、缶内に使い残しがあっても所定量が正確に、かつ確実に充填できる。なお、シリンダー内上方部位の不活性ガスが放出されてピストン３がスプリング２７ａの伸びでシリンダー２内を上昇すると逆止弁２８が持ち上げられつつタンク３２内の液がシリンダー２内に吸い上げられ、シリンダー２のピストン３が不活性ガス圧で押下げられるとスプリング２７ａは圧縮されつつピストン３が下方へ押下げられると、充填液は排出口２１より管路内の逆止弁２９を持ち上げ連通口１９に達し、さらに注入口１８ａから缶の逆止弁３１を持ち上げ充填液等の注入口１８から缶内へ到達する、ピストン３への作動用圧縮不活性ガスは、フィルター２５、レギュレータ（圧力制御）２６を介し、さらにスイッチ２４ａを介し、さらにスイッチ２４ｂを入れるとシリンダー２内のピストン３上方部へとシリンダー１２のピストン１２ａの作動へとそれぞれ圧送される。【０００９】  さらに、本考案の充填装置の他の実施例は、缶の底の凹部略中央に充填専用の逆止弁３１付バルブ１８が設けられている場合に、この逆止弁３１付バルブ１８が収納可能な凹部を受部１７の略中央上部に形成され、かつ逆止弁３１付バルブ１８に接合し連通する注入口１８ａを上記受部１７の凹部に垂直に穿設されてある。この垂直な注入口１８ａに枝別れして一方を受部１７の側面に水平な連通口１９とし、垂直な注入口１８ａにさらに枝別れさせると共に充填液が圧送される通路の下方部位になるように穿設して他方を受部１７の側面に水平な作動用圧縮不活性ガスの不活性ガス注入口２０としてある。この不活性ガス注入口２０は逆止弁３０を介して図示していない作動用圧縮不活性ガス源に連通している、また、連通口１９は逆止弁２９を介してシリンダー２の排出口２１或いはタンク３２とに逆止弁２８を介して連通している。そして、上述のように充填液を充填させると、充填液は排出口２１より管路内の逆止弁２９を持ち上げ連通口１９に達し、さらに缶の注入口１８への連通路内の逆止弁３１を持ち上げ缶内へ到達して所定量の充填が完了すると、缶Ｂと所定量の充填液の重みで、スライドパック８とスライドレール９との係合で上下動のスライダーの動きをしているので、上記ウェイト６の重さＷに抗して所定位置で停止する、その位置を匡体７に取り付けられているストッパー２２と枠体４に付設されているスイッチ２３とが接合し、ピストン３への作動用圧縮不活性ガスが停止し不活性ガスの放出が始まりスプリング２７ａの伸びでピストンが上りシリンダー２内へ次回の充填液が充填される、それと同時に、作動用圧縮不活性ガスが不活性ガス注入口２０より入り初める。この時作動用圧縮不活性ガスが中央の注入口１８ａと枝別れした一方の連通口１９とに残留していた充填液を缶内へ送り込む働きをするので、缶Ｂ内の作動用圧縮不活性ガスが８ｋｇ／ｃｍ２Ｇになるまで加圧されると自動的或いは手動的に不活性ガス注入口２０からの作動用圧縮不活性ガスの流入を停止されるまでには略残っていないので、従来のように充填口から充填液の垂れや漏れの心配がない。なお、作動用圧縮不活性ガスが不活性ガス注入口２０より入り初めると、管路内の逆止弁２９が作動して圧縮不活性ガスが排出��２１へは送られない。図示していないが、缶Ｂを逆さの反転状態でクランプし、匡体の天板１１の下面に受部１７や注入口１８等の充填液や作動用圧縮不活性ガスの充填手段を上部位に設け、上向きコの字状の缶押さえ１３やシリンダー１２等を匡体の底板に設けると、缶への充填がより確実にできることは容易に理解できるものである。【００１０】  次ぎに、本考案の充填装置の動作について説明する。ピストン３への作動用圧縮不活性ガスが停止し不活性ガスの放出が始まりスプリング２７ａが伸びピストンが上りシリンダー２内へ充填液の充填がなされ、そこで、充填せんとする缶の蓋を、匡体７内に缶をクランプさせれるように下向きコの字状の缶押さえ１３で缶の蓋上部１４がピストン１２ａへの作動用圧縮不活性ガスをシリンダー１２内のピストン１２ａ上部へ装填することでクランプされると同時に缶の蓋上部１４と缶の胴とをストッパー１５ａ、１５ｂにより定位置に収め、缶の底部を上記匡体７の下端の底板１６に付設され受部１７に載置させるだけの簡単な構造で、かつ誰にでも、簡単に操作できる。缶をセットするとクランプスイッチ２４ａをＯＮとし、ストッパー１５ｂ上の第１の圧縮した不活性ガスによる切替えスイッチ２４ｃが自動的に入り手動で第２の圧縮した不活性ガスによる切替えスイッチ２４ｂをＯＮとすると、シリンダー２の上部に図示していない圧縮不活性ガス源から圧縮不活性ガスを不活性ガスフィルター２５、レギュレータ（圧力制御）２６を介して、シリンダー２の上部へ不活性ガス注入されピストン３の下降と共にスプリング２７ａが圧縮されつつシリンダー２内の充填液が注入ホース２１の分岐ホース２１ａを介して、連通口１９に連通する管路内の逆止弁２９を持ち上げながら充填液を注入口１８ａから缶注入口１８への連通路内の逆止弁３１持ち上げて缶内へと充填される。そして、缶Ｂ内に所定量の充填液が充填されると缶Ｂとその充填液との重みでスライドパック８とスライドレール９との係合で機械的操作である上下動のスライダーの働きをしているので、上記滑５に架けたワイヤー１０に取り付けたスライドパック８と匡体７と缶Ｂの充填液との重みと、ウェイト６の重さＷのバランスがくずれ、匡体７は下降し、匡体７の下端がストッパー２２に当接して停止する、その位置を匡体７に取り付けられているストッパー２２が基台１の下方に取り付けてあるシリンダー３４を作動させてピストン３への作動用圧縮不活性ガスが止まる。それと同時に、ウェイト６が上昇してシリンダー２に付設されているスイッチ２３とが接合し、作動用圧縮不活性ガスが不活性ガス注入口２０より入り初め、所定量の充填液が充填され缶Ｂ内の作動用圧縮不活性ガスが８ｋｇ／ｃｍ２Ｇになるまで加圧されると自動的に不活性ガス注入口２０からの作動用圧縮不活性ガスの流入が停止され、青色ランプ３６の浮子がガラス管３６ａ等の表示部内へ下昇することで不活性ガス注入の停止を確認するもので充填が確実に、そして充填液が油性のものであっても作動系統が全て圧縮不活性ガスであるので安全である。さらに缶Ｂに使い残しの充填液があつても、例えば図１の一点鎖線の状態の残量があったとすると、缶と残量の重さから充填が始まり所定量までに達するとストッパー２２と基台１の下方に取り付けてあるシリンダー３４を作動させてピストン３への作動用圧縮不活性ガスが止まる。さらに、匡体７の下降と同時に、ウェイト６が上昇してシリンダー２に付設されているスイッチ２３とが接合し、作動用圧縮不活性ガスが不活性ガス注入口２０より入り初め、所定量の充填液が充填され缶Ｂ内の作動用圧縮不活性ガスが８ｋｇ／ｃｍ２Ｇになると停止して、青色ランプ３６の浮子がガラス管３６ａ等の表示部内へ上昇するのである。そして、所定位置で停止する、その位置を匡体７に取り付けられているストッパー２２と基台１に付設されているシリンダー３４とが接合し、ピストン３への作動用圧縮不活性ガスが停止して不活性ガスの放出が始まりスプリング２７ａの伸びでピストンが上りシリンダー２内へ次回の充填液の充填がなさせる。さらに、上述の作動用圧縮不活性ガスが不活性ガス注入口２０より入り初めると同時に作動用圧縮不活性ガスが中央の注入口１８ａと枝別れしかつ下方に穿設された一方の連通口１９とに残留していた充填液を缶内へ送り込む働きをすると同時に逆止弁２９により作動用圧縮不活性ガスがタンク３２等へ逆流することはないので安全である。【００１１】  上述の動作を使用説明ですると以下のようになる。
１．エアフィルター２５→圧力ゲージ（８ｋｇ／ｃｍ２）３５→レギュレータ２６→クランプスイッチ２４ａがＯＦＦ→第２の不活性ガスによる切替えスイッチ２４ｂがＯＦＦ、の時に、１−１：缶をセットできる。１−２：シリンダー１２は缶押さえ１３が上昇状態にある。１−３：シリンダー３４はストッパー２２が上昇して、匡体７が動かさない状態（図のスライドパック８の状態）、１−４：この缶をセットしないと第１の不活性ガスによる切替えスイッチ２４ｃがＯＦＦであるから、クランプスイッチ２４ａ又は第２の不活性ガスによる切替えスイッチ２４ｂＯＮ・ＯＦＦしても充填液の充填がなされない。
２．エアフィルター２５→圧力ゲージ（８ｋｇ／ｃｍ２）３５→レギュレータ２６→クランプスイッチ２４ａがＯＮ→第２の不活性ガスによる切替えスイッチ２４ｂがＯＦＦ、の時に、２−１：缶の蓋上部１４を缶押さえ１３でクランプ固定する、２−２：缶のある、ないの確認はクランプスイッチ２４ａをＯＮするかどうかの時に見ている（クランプスイッチ２４ａをＯＮしても第１の不活性ガスによる切替えスイッチ２４ｃがＯＦＦであり、缶の装填されスイッチ２４ｃＯＮされないと充填液の充填がなされない）。即ち、缶が正しくセットされているか否かを見ている。
３．エアフィルター２５→圧力ケージ（８ｋｇ／ｃｍ２）３５→レギュレータ２６→クランプスイッチ２４ａがＯＮ→第２の不活性ガスによる切替えスイッチ２４ｂがＯＮ、の時に、３−１：ストッパー２２が下がった状態で固定されているが、シリンダー３４が下降し、匡体７が上下動できる状態になる、３−２：缶が正しくセットされているか否かを確認し、第１の不活性ガスによる切替えスイッチ２４ｃがＯＮになっていれば、缶が空の状態で例えば２９０ミリリットル〜３００ミリリットルの充填液が注入され、その重さが加わるので、匡体７が下降し、ウェイト６が上昇して不活性ガスによる切替えスイッチ２３がＯＮされて不活性ガスが不活性ガス注入口２０から充填液が注入された缶内へ充填される、３−３：不活性ガスが８ｋｇ／ｃｍ２Ｇになり完了すると青色ランプ３６の浮子がガラス管３６ａ等の表示部内へ上昇し、完了となる、３−４：缶の中に残量が例えば１０ミリリットル〜２００ミリリットルとする、規定量の例えば２９０ミリリットル〜３００ミリリットルが追加される、３−５：缶の中に不活性ガスがない場合（内圧が０ｋｇ／ｃｍ２〜６ｋｇ／ｃｍ２Ｇ）、充填液が注入され、例えば２９０ミリリットル〜３００ミリリットルの充填液が注入され、その重さが加わるので、匡体７が下降し、ウェイト６が上昇して不活性ガスによる切替えスイッチ２３がＯＮされて不活性ガスが不活性ガス注入口２０から充填液が注入された缶内へ充填される、不活性ガスが８ｋｇ／ｃｍ２Ｇになり完了となる、ただし、缶内が８ｋｇ／ｃｍ２Ｇ（不使用又は規定品外）の時は、圧力ゲージ（８ｋｇ／ｃｍ２Ｇ）３５（外から）の圧と缶内の圧が８ｋｇ／ｃｍ２Ｇと同じであるため）缶に充填液は注入できない、３−６：缶の中に充填液はシリンダー２で、スプリング２７の収縮から下方へ伸びさせて、ホース２１の分岐２１ａから連通路１９を介して注入口１８から入る。
４．エアフィルター２５→圧力ゲージ（８ｋｇ／ｃｍ２）３５→レギュレータ２６→クランプスイッチ２４ａがＯＮ→第２の不活性ガスによる切替えスイッチ２４ｂがＯＦＦ、の時に、４−１：青色ランプ３６の浮子の上昇を確認されたら、第２の不活性ガスによる切替えスイッチ２４ｂをＯＦＦにする、この時シリンダー３４がストッパー２２で匡体７を上昇させて固定する、４−２：ウェイト６は下降し、不活性ガスによる切替えスイッチ２３がＯＦＦにする、４−３：シリンダー２がタンク３２よりススプリングの力で充填液を吸引して、シリンダー２内部に例えば３００ミリリットルの規定量にする、４−４：青色ランプ３６は圧力がＯＦＦになると下降する。
５．エアフィルター２５→圧力ゲージ（８ｋｇ／ｃｍ２）３５→レギュレータ２６→クランプスイッチ２４ａがＯＦＦ→第２の不活性ガスによる切替えスイッチ２４ｂがＯＦＦ、の時に、５−１：青色ランプ３６の浮子の下降が確認できたら、クランプスイッチ２４ａと第２の不活性ガスによる切替えスイッチ２４ｂとをＯＦＦにする、５−２：缶を固定していた缶押さえ１３が蓋上部１４から離れて、缶を手で取り外すことができる、５−３：缶に充填液が正しく注入されているか否かを確認する。
【産業上の利用可能性】
【００１２】  請求項１の考案によれば、枠体に滑車を取り付け、この滑車にワイヤーを架け、このワイヤーの両端にウェイトと匡体とを垂下し、この匡体内に缶押さえが設けられ、さらに匡体が枠体上下にスライドすると共に、上記匡体内にクランプされた缶内に不活性ガス圧で作動されるピストンにより充填液が圧送され、缶内に所定量の充填液が送り込まれると、その荷重により匡体が枠体下方にスライドし、それに追従してウェイトが上方へ動き所定位置で作動する圧縮した不活性ガスによる切替えスイッチにより不活性ガスが缶に充填させたことを特徴とする充填装置が提供することができる。かつ請求項２に記載の考案は、筐体内に缶を装填すると接触する第１の圧縮した不活性ガスによる切替えスイッチと、筐体の所望位置に設けた第２の圧縮した不活性ガスによる切替えスイッチとを設け、この両スイッチの作動で洗浄液等の充填液が缶に充填させたことを特徴とする請求項１に記載の充填装置が提供することができる。
【図面の簡単な説明】
【００１３】
【図１】  本考案の要部の正面図と作動用不活性ガスの要部の回路図である。
【符号の説明】
【００１４】１              基台                  ２、３４          シリンダー
３、３ａ        ピストン              ４                枠体
５              滑車                  ６                ウェイト
７              匡体                  ８                スライドパック
９              スライドレール        １０              ワイヤー
１１            匡体の天板            １２、１２ａ、１２ｂ  クランプシリンダー
１３            缶押さえ              １４              蓋上部
１５ａ、１５ｂ  ストッパー            １６              匡体の底板
１７            受部                  １８              注入口
１９            連通口                ２０              不活性ガス注入
２１、２１ａ    注入ホース            ２２              ストッパー
２３、２４、２４ａ〜２４ｃ  スイッチ  ２７ａ            スプリング
２８乃至３１    逆止弁                ３２              タンク
３３            ノズルレバー          ３５              圧力ゲージ
３６            青色ランプ            ３６ａ            管
【図１】
0003123075.tif 000003